(57)【要約】【課題】匍匐害虫が容器の一方側から侵入可能な空間と、他方側から侵入可能な空間とを１つの容器に設ける場合に、容器を簡単に得ることができるようにする。【解決手段】容器は、１枚の板材が折り曲げられて構成されている。容器の第１端壁部及び第２端壁部に、匍匐害虫を導入するための第１導入口及び第２導入口がそれぞれ形成されている。容器の上壁部の内面における第１導入口と第２導入口の間の部分と、底壁部の内面における第１導入口と第２導入口の間の部分とは接着されている。【選択図】図３
2019170203.tif 000002
【特許請求の範囲】
【請求項１】
匍匐害虫を導入する容器を備え、該容器に導入した匍匐害虫を捕獲する匍匐害虫捕獲器において、
上記容器は、１枚の板材が折り曲げられて構成されており、
平面視で上記容器の中央部を挟むように位置する第１端壁部及び第２端壁部に、匍匐害虫を該容器の内部に導入するための第１導入口及び第２導入口がそれぞれ形成され、
上記容器の上壁部の内面における上記第１導入口と上記第２導入口の間の部分と、上記容器の底壁部の内面における上記第１導入口と上記第２導入口の間の部分とは接着されていることを特徴とする匍匐害虫捕獲器。
【請求項２】
請求項１に記載の匍匐害虫捕獲器において、
上記容器の上記上壁部の内面と、上記容器の上記底壁部の内面とは、匍匐害虫を付着させて捕獲する粘着剤によって接着されていることを特徴とする匍匐害虫捕獲器。
【請求項３】
請求項２に記載の匍匐害虫捕獲器において、
上記粘着剤は、上記容器の上記上壁部の内面に設けられていることを特徴とする匍匐害虫捕獲器。
【請求項４】
請求項３に記載の匍匐害虫捕獲器において、
上記容器の上記上壁部は、上記底壁部との接着部が最も下に位置するように曲がっていることを特徴とする匍匐害虫捕獲器。
【請求項５】
請求項２から４のいずれか１つに記載の匍匐害虫捕獲器において、
上記匍匐害虫捕獲器は、匍匐害虫を誘引する誘引剤を含む誘引部材をさらに備え、
上記誘引部材は、上記容器の上記上壁部における上記底壁部との接着部よりも上記第１導入口側に位置するとともに、上記容器の上記上壁部における上記底壁部との接着部よりも上記第２導入口側に位置するように形成されていることを特徴とする匍匐害虫捕獲器。
【請求項６】
請求項５に記載の匍匐害虫捕獲器において、
上記誘引部材は、上記粘着剤に接着していることを特徴とする匍匐害虫捕獲器。
【請求項７】
請求項４に記載の匍匐害虫捕獲器において、
上記容器における上記第１端壁部から上記第２端壁部まで延びる側壁部には、上記上壁部の上記底壁部との接着部に対応する部分に、開口部が形成されていることを特徴とする匍匐害虫捕獲器。
【請求項８】
請求項２から７のいずれか１つに記載の匍匐害虫捕獲器において、
上記粘着剤は、上記容器の上記上壁部の上記第１導入口側から上記第２導入口側まで連続して設けられていることを特徴とする匍匐害虫捕獲器。
【請求項９】
請求項２に記載の匍匐害虫捕獲器において、
上記容器の上記底壁部は、上記上壁部との接着部が最も上に位置するように曲がっていることを特徴とする匍匐害虫捕獲器。
【請求項１０】
請求項９に記載の匍匐害虫捕獲器において、
上記粘着剤は、上記容器の上記底壁部の内面に設けられていることを特徴とする匍匐害虫捕獲器。
【発明の詳細な説明】
【技術分野】
【０００１】
本発明は、例えばゴキブリ等の匍匐害虫を捕獲する匍匐害虫捕獲器に関する。
【背景技術】
【０００２】
従来より、一般家庭等ではゴキブリを捕獲するゴキブリ捕獲器が使用されている。ゴキブリ捕獲器は例えば床面等に設置しておき、床面を歩行するゴキブリを、ゴキブリ捕獲器に形成されている導入口から内部に導入し、内部に設けられている粘着剤により捕獲することができるように構成されている（例えば、特許文献１〜５参照）。
【０００３】
特許文献１のゴキブリ捕獲器は、小箱状の容器を複数段積み重ねて構成されており、各容器の内部の底面は水平方向に延びており、その底面に粘着剤が設けられている。
【０００４】
特許文献２のゴキブリ捕獲器は、底板部が水平方向に延びる一方、上板部は容器の奥側へ行くほど下に位置するように傾斜している。上板部の内面に粘着剤が設けられている。
【０００５】
特許文献３のゴキブリ捕獲器は、底板部が水平方向に延びる一方、上板部はその長手方向一方側の端部から中央部に近づくほど下に位置するように傾斜し、また長手方向他方側の端部から中央部に近づくほど下に位置するように傾斜している。上板部の内面における長手方向一方側と他方側にそれぞれ粘着剤が設けられており、容器の一方側から侵入可能な空間と、他方側から侵入可能な空間とが並設されている。
【０００６】
特許文献４のゴキブリ捕獲器は、底板部が水平方向に延びる一方、上板部は底板部と略平行に延びる部分と、底板部に対して傾斜する部分とを有している。上板部の内面に粘着剤が設けられている。
【０００７】
特許文献５のゴキブリ捕獲器は、底板部が水平方向に延びており、この底板部と上板部との間に山型に形成された中間板を設けている。底板部の上面と、中間板の上面に粘着剤が設けられている。
【先行技術文献】
【特許文献】
【０００８】
【特許文献１】特許第４３９２６９８号公報
【特許文献２】特開２００６−１３６２９６号公報
【特許文献３】実開昭４９−１１２７６８号公報
【特許文献４】特許第２６９４３３８号公報
【特許文献５】特開平６−３２７３８９号公報
【発明の概要】
【発明が解決しようとする課題】
【０００９】
ところで、市販されているゴキブリ捕獲器の多くは、特許文献１〜５のように容器の内面に、ゴキブリを捕獲するための粘着剤を設けた構造となっているが、特に特許文献３のようにゴキブリが容器の一方側から侵入可能な空間と、他方側から侵入可能な空間とを１つの容器に設ける場合がある。これにより、１つの容器に複数の狭い空間を形成することができるので、狭い空間へ侵入しようとするゴキブリの習性を利用した捕獲能力の向上を図ることができると考えられる。
【００１０】
ところが、特許文献３のゴキブリ捕獲器は、一対の側壁を有する容器に、上壁部となるように折り曲げられたシートを固定することによって構成されており、部品点数が多くなってしまう。また、組み立て時に、シートを容器に固定する作業は煩雑であると考えられる。
【００１１】
以上のことはゴキブリ捕獲器に限られるものではなく、他の匍匐害虫を捕獲する捕獲器についても同様に生じ得る問題である。
【００１２】
本発明は、かかる点に鑑みてなされたものであり、その目的とするところは、匍匐害虫が容器の一方側から侵入可能な空間と、他方側から侵入可能な空間とを１つの容器に設ける場合に、容器を簡単に得ることができるようにすることにある。
【課題を解決するための手段】
【００１３】
上記目的を達成するために、本発明では、容器の上壁部と底壁部とを部分的に接着することにより、１つの容器に複数の導入用空間を設けることができるようにした。
【００１４】
第１の発明は、匍匐害虫を導入する容器を備え、該容器に導入した匍匐害虫を捕獲する匍匐害虫捕獲器において、上記容器は、１枚の板材が折り曲げられて構成されており、平面視で上記容器の中央部を挟むように位置する第１端壁部及び第２端壁部に、匍匐害虫を該容器の内部に導入するための第１導入口及び第２導入口がそれぞれ形成され、上記容器の上壁部の内面における上記第１導入口と上記第２導入口の間の部分と、上記容器の底壁部の内面における上記第１導入口と上記第２導入口の間の部分とは接着されていることを特徴とする。
【００１５】
この構成によれば、１枚の板材を折り曲げることによって容器が構成されるので、部品点数が少なくて済む。そして、この容器の上壁部と底壁部とを接着することにより、容器の内部には、第１導入口に連通する空間と、第２導入口に連通する空間とが形成されるので、狭い空間へ侵入しようとする匍匐害虫の習性を利用した捕獲能力の向上を図ることができる。第１導入口に連通する空間と、第２導入口に連通する空間とを形成する際には、上壁部と底壁部とを接着すればよいだけなので、組立作業は簡単である。
【００１６】
第２の発明は、上記容器の上記上壁部の内面と、上記容器の上記底壁部の内面とは、匍匐害虫を付着させて捕獲する粘着剤によって接着されていることを特徴とする。
【００１７】
この構成によれば、捕獲用の粘着剤を利用して容器の上壁部と底壁部とを接着することが可能になるので、容器の上壁部と底壁部とを接着するためだけの接着剤が不要になる。
【００１８】
第３の発明は、上記粘着剤は、上記容器の上記上壁部の内面に設けられていることを特徴とする。
【００１９】
この構成によれば、容器の上壁部の内面に粘着剤が配置されることになるので、容器に導入された匍匐害虫が例えばゴキブリである場合には、羽根または背部が粘着剤に付着することになる。従って、脚を付着させる場合に比べて粘着剤との接触面積が広くなり、一旦捕獲した後に逃げ出してしまうゴキブリの数を減らすことが可能になる。
【００２０】
第４の発明は、上記容器の上記上壁部は、上記底壁部との接着部が最も下に位置するように曲がっていることを特徴とする。
【００２１】
この構成によれば、第１導入口から容器の奥へ行くほど上下方向の寸法が短くなるので、粘着剤と匍匐害虫との距離が短くなり、匍匐害虫を粘着剤に確実に付着させることができる。第２導入口から導入した匍匐害虫も同様である。
【００２２】
第５の発明は、上記匍匐害虫捕獲器は、匍匐害虫を誘引する誘引剤を含む誘引部材をさらに備え、上記誘引部材は、上記容器の上記上壁部における上記底壁部との接着部よりも上記第１導入口側に位置するとともに、上記容器の上記上壁部における上記底壁部との接着部よりも上記第２導入口側に位置するように形成されていることを特徴とする。
【００２３】
この構成によれば、誘引部材から放散される誘引成分が第１導入口側及び第２導入口側に流れるようになるので、誘引部材の数を少なくしながら、両導入口への誘引効果が十分に得られる。
【００２４】
第６の発明は、上記誘引部材は、上記粘着剤に接着していることを特徴とする。
【００２５】
この構成によれば、誘引部材を粘着剤によって容器に接着することができるようになるので、誘引部材を接着するためだけの接着剤が不要になる。
【００２６】
第７の発明は、上記容器における上記第１端壁部から上記第２端壁部まで延びる側壁部には、上記上壁部の上記底壁部との接着部に対応する部分に、開口部が形成されていることを特徴とする。
【００２７】
この構成によれば、容器の上壁部を、底壁部との接着部が最も下に位置するように曲げる際に、側壁部の対応する部分に開口部が形成されていることで、側壁部が屈曲し易くなり、その結果、上壁部が容易に曲がるようになる。
【００２８】
第８の発明は、上記粘着剤は、上記容器の上記上壁部の上記第１導入口側から上記第２導入口側まで連続して設けられていることを特徴とする。
【００２９】
この構成によれば、粘着剤が広範囲に設けられることになるので、匍匐害虫の捕獲能力が向上するとともに、容器の上壁部と底壁部とを接着させる作業が簡単になる。
【００３０】
第９の発明は、上記容器の上記底壁部は、上記上壁部との接着部が最も上に位置するように曲がっていることを特徴とする。
【００３１】
この構成によれば、容器の底壁部が傾斜するようになるので、例えば傾斜面を登る習性を持った匍匐害虫が容器の奥側へ導入され易くなる。
【００３２】
第１０の発明は、上記粘着剤は、上記容器の上記底壁部の内面に設けられていることを特徴とする。
【発明の効果】
【００３３】
第１の発明によれば、１枚の板材を折り曲げることによって容器を構成することができるので、部品点数を少なくすることができる。そして、容器の上壁部の内面における第１導入口と第２導入口の間の部分と、容器の底壁部の内面における第１導入口と第２導入口の間の部分とを接着することによって第１導入口に連通する空間と、第２導入口に連通する空間とを形成することができるので、狭い空間へ侵入しようとする匍匐害虫の習性を利用した捕獲能力の向上を図る場合に匍匐害虫捕獲器の組立作業を簡単にすることができる。
【００３４】
第２の発明によれば、匍匐害虫を付着させて捕獲する粘着剤によって容器の上壁部と底壁部とを接着することができるので、上壁部と底壁部とを接着するためだけの接着剤を不要にすることができる。
【００３５】
第３の発明によれば、匍匐害虫がゴキブリである場合に捕獲後に逃げ出してしまう個体を減少させることができる。
【００３６】
第４の発明によれば、容器の上壁部は、底壁部との接着部が最も下に位置するように曲がっているので、導入した匍匐害虫を粘着剤に確実に付着させることができる。
【００３７】
第５の発明によれば、誘引部材から放散される誘引成分が第１導入口側及び第２導入口側に流れるようになるので、誘引部材の数を少なくしながら、両導入口への誘引効果を十分に得ることができる。
【００３８】
第６の発明によれば、誘引部材を接着するためだけの接着剤を不要にすることができる。
【００３９】
第７の発明によれば、容器の上壁部を容易に曲げることができるので、匍匐害虫捕獲器の組立作業をより一層簡単にすることができる。
【００４０】
第８の発明によれば、広範囲に設けた粘着剤によって匍匐害虫の捕獲能力を高めながら、上壁部と底壁部とを簡単に接着することができる。
【００４１】
第９の発明によれば、容器の底壁部が傾斜するようになるので、例えば傾斜面を登る習性を持った匍匐害虫が容器の奥側へ導入され易くなり、捕獲能力を向上させることができる。
【００４２】
第１０の発明によれば、容器の底壁部を歩行する匍匐害虫を粘着剤によって捕獲できるとともに、その粘着剤によって容器の上壁部と底壁部とを接着することができる。
【図面の簡単な説明】
【００４３】
【図１】本発明の実施形態１に係る匍匐害虫捕獲器を上方から見た斜視図である。
【図２】匍匐害虫捕獲器の側面図である。
【図３】図１のIII−III線断面図である。
【図４】使用状態にある図３相当図である。
【図５】匍匐害虫捕獲器の容器となる板材を展開した状態の斜視図である。
【図６】匍匐害虫捕獲器の容器となる板材を折り曲げる途中を示す斜視図である。
【図７】容器の上壁部と底壁部とを接着する前の状態を示す斜視図である。
【図８】容器の上壁部と底壁部とを接着する前の状態を示す側面図である。
【図９】図７におけるIX−IX線断面図である。
【図１０】本発明の実施形態２に係る匍匐害虫捕獲器を上方から見た斜視図である。
【図１１】実施形態２に係る匍匐害虫捕獲器の側面図である。
【図１２】図１０におけるXII−XII線断面図である。
【図１３】使用状態にある図１２相当図である。
【発明を実施するための形態】
【００４４】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００４５】
（実施形態１）
図１は、本発明の実施形態１に係る匍匐害虫捕獲器１を上方から見た斜視図であり、図２は匍匐害虫捕獲器１の側面図である。この匍匐害虫捕獲器１は、匍匐害虫を捕獲するための器具である。匍匐害虫捕獲器１で捕獲する対象となる匍匐害虫としては、例えばゴキブリを挙げることができるが、ゴキブリに限られるものではなく、床や地面を歩行する様々な害虫であってもよい。ゴキブリには、クロゴキブリ、チャバネゴキブリ、ワモンゴキブリ等が含まれるとともに、各々、オス、メス、卵鞘を持ったメス、幼虫等が含まれる。匍匐害虫捕獲器１は、匍匐害虫を導入する容器２と、図３に示す粘着剤３と、誘引部材４とを少なくとも備えており、該容器２に導入した匍匐害虫を粘着剤３によって捕獲することができるように構成されている。粘着剤３は、容器２の内部に設けられている。また、誘引部材４は容器２の内部に収容されている。誘引部材４によって容器２の内部に誘引された匍匐害虫を粘着剤３によって捕獲することができる他、誘引されなくても容器２の内部に導入された匍匐害虫を粘着剤３によって捕獲することができる。
【００４６】
尚、この実施形態の説明では、各図に示すように匍匐害虫捕獲器１の前側及び後側を定義し、前側から見たときに右となる側を右側、左となる側を左側と定義するが、これは説明の便宜を図るためだけであり、実際の使用時の姿勢や運搬時の姿勢、製造時の姿勢を限定するものではない。例えば、匍匐害虫捕獲器１の前側が、使用者から向かって右や左、後に位置するように匍匐害虫捕獲器１を設置したり、匍匐害虫捕獲器１の前側が上や下に位置するように匍匐害虫捕獲器１を設置することもできる。
【００４７】
また、図３に示すように、匍匐害虫捕獲器１は、一般家庭や事務所、各種工場等の床面（設置面）２００に載置して使用することができる他、図示しないが地面に直接載置して使用することもできる。また、例えば、家具と壁の隙間や電化製品と壁の隙間等、匍匐害虫が歩行しそうな場所に設置することもできる。また、壁に沿わせて設置することや、家具や電化製品の上に設置して使用することもできる。
【００４８】
（容器２の構成）
容器２は、例えばボール紙等の厚紙からなる１枚の板材１００（図５、６に示す）が折り曲げられて構成されている。板材１００は、厚紙や、厚紙に印刷層が設けられた部材以外にも例えば樹脂材等で構成されていてもよいが、組み立てた状態で長期間（短くても数週間から数ヶ月）に亘って形状を維持することができる形状維持性を備えた部材で構成するのが好ましい。
【００４９】
図１〜図３に示すように、容器２は、底壁部１０と、上壁部１１と、左側壁部１２と、右側壁部１３と、前端壁部（第１端壁部）１４と、後端壁部（第２端壁部）１５とを備えている。図２に示すように、前端壁部１４は容器２の前端部に位置する一方、後端壁部１５は容器２の後端部に位置している。容器２の平面視では、当該容器２の前後方向中央部を挟むように前端壁部１４と後端壁部１５とが位置することになる。前端壁部１４及び後端壁部１５の左右方向の寸法は略等しく設定されているが、異なる寸法にすることもできる。
【００５０】
図２や図３に示すように、前端壁部１４は上側へ行くほど後に位置するように傾斜している。図１に示すように、この前端壁部１４の全体に、匍匐害虫を該容器２の内部に導入するための前側導入口（第１導入口）１４ａが形成されている。前端壁部１４の上端部が下端部よりも後に位置しているので、前側導入口１４ａは、斜め上方に向いて開口することになる。前側導入口１４ａの上縁部は、容器２の上壁部１１の前端部近傍に位置しており、左右方向に直線状に延びている。また、前側導入口１４ａの下縁部は、容器２の底壁部１０の前端部近傍に位置しており、左右方向に直線状に延びている。また、前側導入口１４ａの右縁部及び左縁部は、それぞれ右側壁部１２の前縁部近傍及び左側壁部１３の前縁部近傍に位置しており、上下方向に直線状に延びている。
【００５１】
図２や図３に示すように、後端壁部１５は上側へ行くほど前に位置するように傾斜している。この後端壁部１５の全体に、匍匐害虫を該容器２の内部に導入するための後側導入口（第２導入口）１５ａが形成されている。後端壁部１５の上端部が下端部よりも前に位置しているので、後側導入口１５ａは、斜め上方に向いて開口することになる。後側導入口１５ａの上縁部は、容器２の上壁部１１の後端部近傍に位置しており、左右方向に直線状に延びている。また、後側導入口１５ａの下縁部は、容器２の底壁部１０の後端部近傍に位置しており、左右方向に直線状に延びている。また、後側導入口１５ａの右縁部及び左縁部は、それぞれ右側壁部１２の後縁部近傍及び左側壁部１３の後縁部近傍に位置しており、上下方向に直線状に延びている。
【００５２】
尚、前側導入口１４ａ及び後側導入口１５ａの形状は長方形に限られるものではなく、例えば、長円形、台形等であってもよい。また、図示しないが、前側壁部１４に複数の前側導入口を形成してもよいし、後端壁部１５に複数の後側導入口を形成してもよい。この場合、複数の前側導入口が前側壁部１４の上下に並ぶように形成することや、左右に並ぶように形成することができ、また複数の後側導入口が後側壁部１５の上下に並ぶように形成することや、左右に並ぶように形成することができる。前側導入口１４ａ及び後側導入口１５ａの形状は互いに異なっていてもよい。
【００５３】
図１に示すように、容器２の前端部には、前側返し部１６が設けられている。前側返し部１６は、前端壁部１４の上端部に連なるとともに、該上端部から後側へ向かって斜め下方へ延びる上側返し部１６ａと、前端壁部１４の左端部に連なるとともに、該左端部から後側へ向かって延びる左側返し部１６ｂと、前端壁部１４の右端部に連なるとともに、該右端部から後側へ向かって延びる右側返し部１６ｃとで構成されている。
【００５４】
容器２の後端部には、後側返し部１７が設けられている。図５及び図６に示すように、後側返し部１７は、後端壁部１５の上端部に連なるとともに、該上端部から前側へ向かって斜め下方へ延びる上側返し部１７ａと、後端壁部１５の左端部に連なるとともに、該左端部から前側へ向かって延びる左側返し部１７ｂと、後端壁部１５の右端部に連なるとともに、該右端部から前側へ向かって延びる右側返し部１７ｃとで構成されている。
【００５５】
前側返し部１６及び後側返し部１７は必須のものではないが、容器２の上に登った匍匐害虫が、前側導入口１４ａや後側導入口１５ａに対して上方から侵入しようとした際に脚が粘着剤３に触れることを阻止できるので、警戒心を抱かせることを抑制する効果を期待できる。また、導入空間Ｒ１、Ｒ２内に異物が侵入することを抑制する効果や、ユーザーの指が誤って粘着剤３に触れてしまうことを抑制する効果も期待できる。また、図示しないが、前側返し部１６及び後側返し部１７の代わり、または前側返し部１６及び後側返し部１７と共に容器２の前端部及び後端部に該容器２の外方へ突出する庇部を設けてもよい。
【００５６】
左側壁部１２は容器２の左端部に位置する一方、右側壁部１３は容器２の右端部に位置している。容器２の平面視では、当該容器２の左右方向中央部を挟むように左端壁部１２と右端壁部１３とが位置することになる。左側壁部１２及び右側壁部１３の前後方向の寸法は略等しく設定されているが、異なる寸法にすることもできる。左側壁部１２及び右側壁部１３の前後方向の各寸法は、前端壁部１４及び後端壁部１５の左右方向の各寸法よりも長く設定されている。これにより、前端壁部１４及び後端壁部１５は、容器２の長手方向両端壁部となる。
【００５７】
左側壁部１２は、前端壁部１４から後端壁部１５まで延びる壁部である。左側壁部１２の前後方向中央部は、後述する上壁部１１の底壁部１０との接着部に対応する部分であり、この部分には、左側開口部１２ａが形成されている。左側開口部１２ａは、前後方向の寸法が上下方向の寸法よりも長くなるように形成されている。左側開口部１２ａの下縁部は、底壁部１０の左縁部に位置しており、前後方向に延びている。左側開口部１２ａの下縁部には、容器２の左側へ向けて延出する左側延出板部１２ｂが形成されている。左側開口部１２ａの上縁部は、左側壁部１２の上端部よりも下に位置している。左側壁部１２に左側開口部１２ａを形成することで、左側壁部１２が屈曲し易くなる。
【００５８】
また、右側壁部１３も前端壁部１４から後端壁部１５まで延びる壁部である。右側壁部１３の前後方向中央部は、後述する上壁部１１の底壁部１０との接着部に対応する部分であり、この部分には、右側開口部１３ａ（図３に示す）が形成されている。右側開口部１３ａは左側開口部１２ａと同様な形状とされている。右側開口部１３ａの下縁部には、容器２の右側へ向けて延出する右側延出板部１３ｂが形成されている。右側壁部１３に右側開口部１３ａを形成することで、右側壁部１３が屈曲し易くなる。
【００５９】
尚、左側開口部１２ａ及び右側開口部１３ａは省略してもよい。また左側開口部１２ａ及び右側開口部１３ａは複数設けてもよい。
【００６０】
図３に示すように、底壁部１０には、誘引部材４が挿入される挿入孔１０ａが形成されている。挿入孔１０ａは、底壁部１０の前後方向中央部かつ左右方向中央部に位置している。底壁部１０の挿入孔１０ａに挿入された誘引部材４は一部が底壁部１０よりも下方へ突出するように配置される。このため、匍匐害虫捕獲器１を床面２００に設置した状態では、底壁部１０における前後方向中央部が床面２００から上方へ離れた状態になる。一方、底壁部１０の前端部及び後端部とその近傍部位は、匍匐害虫捕獲器１を床面２００に設置した状態で当該床面２００に接触するように配置される。従って、底壁部１０は、前後方向中央部が最も高く、前端部に向かって次第に低くなるように傾斜するとともに、後端部に向かって次第に低くなるように傾斜する。
【００６１】
尚、誘引部材４の全体を容器２の内部に収容するような形態とすることもでき、この場合は、誘引部材４が底壁部１０から下方へ突出しないので、底壁部１０を平板状にすることができる。
【００６２】
上壁部１１は、前後方向の寸法が底壁部１０の前後方向の寸法よりも短くなるように形成されている。上壁部１１の内面における前側導入口１４ａと後側導入口１５ａとの間の部分と、底壁部１０の内面における前側導入口１４ａと後側導入口１５ａの間の部分とは接着されている。すなわち、上壁部１１の前後方向中央部１１ａは、底壁部１０の前後方向中央部に接着される接着部とされており、上壁部１１における前後方向中央部１１ａが最も下に位置するように上壁部１１が曲がっている。上壁部１１の内面（下面）には、匍匐害虫を付着させて捕獲する粘着剤３が、当該上壁部１１の前側導入口１４ａ側から後側導入口１５ａ側まで連続して設けられている。上壁部１１の前後方向中央部１１ａの高さは、その内面に設けられている粘着剤３が底壁部１０の前後方向中央部に接触するように設定されている。これにより、容器２の上壁部１１の内面と、底壁部１０の内面とが粘着剤３によって接着されることになる。
【００６３】
容器２の上壁部１１の内面と、底壁部１０の内面とを接着することにより、  容器２の内部には、上壁部１１の前後方向中央部１１ａよりも前側の空間（前側導入空間）Ｒ１と、上壁部１１の前後方向中央部１１ａよりも後側の空間（後側導入空間）Ｒ２とが形成されることになる。前側導入空間Ｒ１と後側導入空間Ｒ２とは一部が連通していてもよいし、前側導入空間Ｒ１と後側導入空間Ｒ２との間を完全に遮断するようにしてもよい。前側導入空間Ｒ１と後側導入空間Ｒ２との一部を連通させる場合には、粘着剤３による上壁部１１及び底壁部１０の接着を部分的なものとすればよい。前側導入空間Ｒ１は第１空間ということができ、後側導入空間Ｒ２は第２空間ということができ、両空間Ｒ１、Ｒ２は匍匐害虫が導入される空間であるとともに、匍匐害虫を捕獲するための空間でもある。
【００６４】
前側導入空間Ｒ１の前端部は前側導入口１４ａと連通しており、この前側導入口１４ａを介して容器２の外部に開放される。また、前側導入空間Ｒ１の左側及び右側は、それぞれ左側開口部１２ａ及び右側開口部１３ａと連通しており、左側開口部１２ａ及び右側開口部１３ａを介して容器２の外部に開放される。
【００６５】
後側導入空間Ｒ２の後端部は後側導入口１５ａと連通しており、この後側導入口１５ａを介して容器２の外部に開放される。また、後側導入空間Ｒ２の左側及び右側は、それぞれ左側開口部１２ａ及び右側開口部１３ａと連通しており、左側開口部１２ａ及び右側開口部１３ａを介して容器２の外部に開放される。
【００６６】
上壁部１１が上述したように曲がっているので、上壁部１１の中央部１１ａよりも前側部分は、前端部に近づけば近づくほど上に位置するように傾斜し、また上壁部１１の中央部１１ａよりも後側部分は、後端部に近づけば近づくほど上に位置するように傾斜することになる。従って、上壁部１１と底壁部１０との離間寸法は、容器２の前端部及び後端部において最も長くなり、容器２の前後方向中央部に近づけば近づくほど短くなる。言い換えると、前側導入空間Ｒ１の上下方向の寸法は、当該前側導入空間Ｒ１の奥側（容器２の後側）へ行くほど短くなり、また、後側導入空間Ｒ２の上下方向の寸法は、当該後側導入空間Ｒ２の奥側（容器２の前側）へ行くほど短くなる。これにより、前側導入空間Ｒ１及び後側導入空間Ｒ２の両方で、奥側へ行くほど粘着剤３と匍匐害虫との距離が短くなるので、匍匐害虫を粘着剤３に確実に付着させることができる。
【００６７】
（粘着剤３の構成）
粘着剤３は、従来から匍匐害虫を捕獲する場合に使用されているものを用いることができる。この実施形態では、上壁部１１の前端部近傍から後端部近傍まで連続し、かつ、上壁部１１の左端部近傍から右端部近傍まで連続して粘着剤３が設けられているが、これに限らず、上壁部１１の前後方向に不連続に設けてもよいし、上壁部１１の左右方向に不連続に設けてもよい。
【００６８】
粘着剤３には、図示しないが剥離紙が設けられている。剥離紙は使用開始前に粘着剤３から剥離する。
【００６９】
（誘引部材４の構成）
図３及び図６に示すように、誘引部材４は、誘引剤容器４ａと、フランジ部４ｂと、該誘引剤容器４ａに収容される誘引剤４ｃとを備えている。誘引剤４ｃは、従来から周知の匍匐害虫を誘引するための薬剤等を挙げることができ、例えば液体であってもよいし、粉状または粒状の薬剤であってもよいし、餌等であってもよい。液体の場合は、誘引剤容器４ａに収容された吸収材に誘引剤４ｃを染み込ませておけばよい。誘引剤容器４ａは、例えば硬質樹脂製とすることができ、この実施形態では、誘引成分が揮散するように上方に向かって開放されている。誘引剤４ｃが粒剤の場合、誘引剤容器４ａの代わりに、通気性を有する袋等を利用することができる。また、粒状や粉状の誘引剤を誘引部材とすることもできる。
【００７０】
フランジ部４ｂは、誘引剤容器４ａの上端部から該誘引剤容器４ａの外部へ向けて水平方向に延出している。図３に示すように、誘引剤容器４ａは、底壁部１０の挿入孔１０ａに挿入可能な大きさとされる一方、フランジ部４ｂは、挿入孔１０ａよりも大きく形成されている。これにより、フランジ部４ｂが底壁部１０の挿入孔１０ａの周縁部に引っ掛かるようになり、底壁部１０の挿入孔１０ａから容器２の外部へ出ないようになる。
【００７１】
誘引部材４は、容器２の上壁部１１における底壁部１０との接着部１１ａよりも前側導入口１４ａ側に位置するとともに、容器２の上壁部１１における底壁部１０との接着部１１ａよりも後側導入口１５ａ側に位置するように形成されている。これにより、誘引部材４から放散される誘引成分が前側導入口１４ａ側及び後側導入口１５ａ側に流れるようになるので、誘引部材４の数を少なくしながら、両導入口１４ａ、１５ａへの誘引効果が十分に得られる。
【００７２】
（板材１００の構成）
図５及び図６に示すように、板材１００は、底壁部１０、右側壁部１３、上壁部１１、左側壁部１２、前端壁部１４及び後端壁部１５が連なった形状とされている。さらに、板材１００には前側返し部１６及び後側返し部１７も連なっており、容器２を構成する各部が一体になっている。板材１００における上壁部１１に上記粘着剤３が塗工機（図示せず）によって塗布されている。また、板材１００における挿入孔１０ａの近傍には、切れ込み部１０ｂが設けられている。この切れ込み部１０ｂには、板材１００に設けられている差し込み部１０１が差し込まれて保持されるようになっている。
【００７３】
（匍匐害虫捕獲器１の製造方法）
次に、上記のように構成された匍匐害虫捕獲器１の製造方法について説明する。まず、図５に示すような板材１００を得る。その後、図６に示すように、各部を折り曲げるとともに、誘引部材４を底壁部１０の挿入孔１０ａに挿入する。そして、切れ込み部１０ｂに差し込み部１０１を差し込むと、図７〜図９に示すように、匍匐害虫捕獲器１の中間製造品が得られる。この中間製造品は、最終製品となる手前のものであり、図９に示すように、上壁部１１と底壁部１０とが接着されていない。
【００７４】
組立作業者は、この中間製造品を得た後、上壁部１１の前後方向中央部１１ａを底壁部１０側へ押さえることによって上壁部１１を曲げる。このとき、左側壁部１２及び右側壁部１３を、上下方向中間部が容器２の外方へ向けて突出するように曲げる。これにより、上壁部１１の前後方向中央部１１ａを底壁部１０に接近させて、上壁部１１の前後方向中央部１１ａの粘着剤３を底壁部１０に押し付けることができる。すると、図３に示すように、当該粘着剤３が底壁部１０に粘着して上壁部１１の前後方向中央部１１ａが底壁部１０に接着されて最終製品としての匍匐害虫捕獲器１が得られる。組立作業者は、匍匐害虫捕獲器１を使用する使用者であってもよい。
【００７５】
上壁部１１の前後方向中央部１１ａを底壁部１０に接着した状態では、誘引部材４が粘着剤３に接着する。具体的には、誘引部材４のフランジ部４ｂの上面が粘着剤３に接着することになる。これにより、誘引部材４の位置ずれを抑制することができる。尚、粘着剤３は、誘引部材４の誘引剤容器４ａの開放部分を全て覆わないように、フランジ部４ｂの前後方向中央部にのみ接着する。
【００７６】
（実施形態の作用効果）
以上説明したように、この実施形態に係る匍匐害虫捕獲器１によれば、１枚の板材１００を折り曲げることによって容器２が構成されるので、部品点数が少なくて済む。そして、この容器２の上壁部１１と底壁部１０とを接着することにより、容器２の内部には、前側導入口１４ａに連通する前側導入空間Ｒ１と、後側導入口１５ａに連通する後側導入空間Ｒ２とが形成される。これにより、狭い空間へ侵入しようとする匍匐害虫の習性を利用した捕獲能力の向上を図ることができる。前側導入空間Ｒ１と後側導入空間Ｒ２とを形成する際には、上壁部１１と底壁部１０とを接着すればよいだけなので、組立作業は簡単である。
【００７７】
また、捕獲用の粘着剤３を利用して容器２の上壁部１１と底壁部１０とを接着することが可能になるので、容器２の上壁部１１と底壁部１０とを接着するためだけの接着剤が不要になる。
【００７８】
また、図４に示すように、容器２の上壁部１１の内面に粘着剤３が配置されることになるので、容器２に導入された匍匐害虫が例えばゴキブリである場合には、羽根または背部が粘着剤３に付着することになる。従って、脚を付着させる場合に比べて粘着剤３との接触面積が広くなり、一旦捕獲した後に逃げ出してしまうゴキブリの数を減らすことが可能になる。
【００７９】
また、前側導入口１４ａから容器２の奥へ行くほど上下方向の寸法が短くなるので、粘着剤３と匍匐害虫との距離が短くなり、匍匐害虫を粘着剤３に確実に付着させることができる。後側導入口１５ａから導入した匍匐害虫も同様である。
【００８０】
また、誘引部材４から放散される誘引成分は前側導入口１４ａ側及び後側導入口１５ａ側に流れるようになる。これにより、誘引成分が前側導入口１４ａ及び後側導入口１５ａから外部に放散されるので、誘引部材４の数を少なくしながら、両導入口１４ａ、１５ａへの誘引効果が十分に得られる。
【００８１】
（実施形態２）
図１０〜図１３は、本発明の実施形態２に係る匍匐害虫捕獲器１を示すものである。この実施形態２では底壁部１０を上に曲げることによって上壁部１１に接着している点で実施形態１のものと異なっており、他の部分は実施形態１と同じであるため、以下、実施形態１と同じ部分には同じ符号を付して説明を省略し、異なる部分について詳細に説明する。
【００８２】
すなわち、図１１や図１２に示すように、容器２の底壁部１０は、上壁部１１との接着部が最も上に位置するように曲がっている。底壁部１０の前後方向中央部１０ａは、上壁部１１の前後方向中央部との接着部とされている。底壁部１０の前後方向中央部１０ａの高さは、粘着剤３に接触するように設定されている。これにより、容器２の上壁部１１の内面と、底壁部１０の内面とが粘着剤３によって接着されることになる。
【００８３】
底壁部１０が上述したように曲がっているので、底壁部１０の中央部１０ａよりも前側部分は、前端部に近づけば近づくほど下に位置するように傾斜し、また底壁部１０の中央部１０ａよりも後側部分は、後端部に近づけば近づくほど下に位置するように傾斜することになる。従って、上壁部１１と底壁部１０との離間寸法は、容器２の前端部及び後端部において最も長くなり、容器２の前後方向中央部に近づけば近づくほど短くなる。これにより、前側導入空間Ｒ１及び後側導入空間Ｒ２の両方で、奥側へ行くほど粘着剤３と匍匐害虫との距離が短くなるので、匍匐害虫を粘着剤３に確実に付着させることができる。
【００８４】
また、誘引部材４は、通気性を有する袋４ｄに誘引剤４ｃが収容されたものである。この誘引部材４も、実施形態１のものと同様に、容器２の底壁部１０における上壁部１１との接着部１０ａよりも前側導入口１４ａ側に位置するとともに、容器２の底壁部１０における上壁部１１との接着部１０ａよりも後側導入口１５ａ側に位置するように形成されている。
【００８５】
実施形態２においても実施形態１と同様に、１つの容器２に前側導入空間Ｒ１と後側導入空間Ｒ２とを設ける場合に、容器２を簡単に得ることができる。
【００８６】
（他の実施形態）
上述の実施形態はあらゆる点で単なる例示に過ぎず、限定的に解釈してはならない。さらに、特許請求の範囲の均等範囲に属する変形や変更は、全て本発明の範囲内のものである。
【００８７】
上記実施形態１、２では、粘着剤３を容器２の上壁部１１の内面に設けているが、これに限らず、粘着剤３は、容器２の底壁部１０の内面に設けてもよい。粘着剤３を容器２の底壁部１０の内面に設けた場合も、上壁部１１と底壁部１０とを接着することができる。
【００８８】
また、粘着剤３とは別に、上壁部１１と底壁部１０とを接着するための粘着剤や接着剤を設けてもよい。
【００８９】
また、前側導入空間Ｒ１と後側導入空間Ｒ２にそれぞれ誘引部材を設けてもよい。
【産業上の利用可能性】
【００９０】
以上説明したように、本発明に係る匍匐害虫捕獲器は、例えば、ゴキブリ等の匍匐害虫を捕獲する場合に使用することができる。
【符号の説明】
【００９１】
１                匍匐害虫捕獲器
２                容器
３                粘着剤
４                誘引部材
１０              底壁部
１１              上壁部
１２              左側壁部
１３              右側壁部
１４              前端壁部（第１端壁部）
１４ａ            前側導入口（第１導入口）
１５              後端壁部（第２端壁部）
１５ａ            後側導入口（第２導入口）
１００            板材
２００            床面
【図１】
2019170203.tif 000003
【図２】
2019170203.tif 000004
【図３】
2019170203.tif 000005
【図４】
2019170203.tif 000006
【図５】
2019170203.tif 000007
【図６】
2019170203.tif 000008
【図７】
2019170203.tif 000009
【図８】
2019170203.tif 000010
【図９】
2019170203.tif 000011
【図１０】
2019170203.tif 000012
【図１１】
2019170203.tif 000013
【図１２】
2019170203.tif 000014
【図１３】
2019170203.tif 000015